(57)【要約】【課題】  サービスマンがサービス拠点の連絡先を登録する必要のない画像形成装置を提供する。【解決手段】  プロセスカートリッジ１０には、各種情報記憶する不揮発メモリ１２が実装されている。不揮発メモリ１２に、サービス拠点情報（サービス拠点の地域情報毎の連絡先）を予め記憶して出荷する。一方、複写機の設置時に操作表示部１４よりユーザ自身の電話番号や地域情報の入力操作をユーザに依頼し、入力されたユーザ情報を参照情報記憶部１８に記憶しておく。中央制御部１は、入力されたユーザ情報に基づいてプロセスカートリッジ１０内の不揮発性メモリ１２を検索してユーザ情報と対応するサービス拠点の連絡先を取得し、これを参照情報記憶部１８に登録する。これにより複写機の設置場所に応じたサービス拠点の連絡先を自動的に設定することができる。【選択図】  図１
2006208725.tif 000002
【特許請求の範囲】
【請求項１】
不揮発性メモリを有するプロセスカートリッジを備えた画像形成装置において、
地域毎のサービス拠点の連絡先情報を前記不揮発性メモリに記憶させた画像形成装置の設置場所の地域情報を入力する入力手段と、
前記不揮発メモリを検索し前記入力された地域情報と対応するサービス拠点の連絡先を取得して登録する登録制御手段とを設けたことを特徴とする画像形成装置。
【請求項２】
前記登録されたサービス拠点の連絡先に自動的に通知する自動通知手段を設けたことを特徴とする請求項１記載の画像形成装置。
【請求項３】
前記自動通知手段による通知を行うか否かを選択する選択手段を設けたことを特徴とする請求項２記載の複写装置。
【請求項４】
前記不揮発メモリ内の前記登録されたサービス拠点の連絡先以外のサービス拠点の連絡先情報を消去してその消去されたエリアを他の情報の記憶エリアに使用可能とするデータ消去手段を設けたことを特徴とする請求項１から３のいずれか１項に記載の画像形成装置。
【請求項５】
不揮発性メモリを有するプロセスカートリッジの前記不揮発メモリに地域毎のサービス拠点の連絡先情報を記憶させて出荷し、
画像形成装置の設置時に設置場所の地域情報を入力し、
前記不揮発メモリを検索し前記入力された地域情報と対応するサービス拠点の連絡先を取得し、
前記取得したサービス拠点の連絡先を登録することを特徴とする画像形成装置のサービス拠点連絡方法。
【請求項６】
前記登録されたサービス拠点の連絡先に自動的に通知することを特徴とする請求項５記載の画像形成装置のサービス拠点連絡方法。
【請求項７】
前記自動通知を行うか否かを選択可能にしたことを特徴とする請求項６記載の画像形成装置のサービス拠点連絡方法。
【請求項８】
前記不揮発メモリ内の前記登録されたサービス拠点の連絡先以外のサービス拠点の連絡先情報を消去し、消去されたエリアを他の情報の記憶エリアに使用可能とすることを特徴とする請求項５から７のいずれか１項に記載の画像形成装置のサービス拠点連絡方法。
【請求項９】
請求項５から８のいずれか１項記載の画像形成装置のサービス拠点連絡方法をコンピュータに実行させるためのプログラム。
【請求項１０】
請求項９記載のプログラムを記録したコンピュータ読み取り可能な記録媒体。
【発明の詳細な説明】
【技術分野】
【０００１】
本発明は、サービス拠点と連絡する複写機等の画像形成装置、そのサービス拠点連絡方法、この方法を実行するためのプログラム及びこのプログラムを記録したコンピュータ読み取り可能な記録媒体に関するものである。
【背景技術】
【０００２】
近年、複写機等の画像形成装置が、回線やネットワークを利用してサービスセンター等のサービス拠点と定期的に連絡を自動的に取り、装置の状態を通知すると共に、トナー等の残量を確認して残量が少ない場合には、サービス拠点に連絡して自動発注するというサービス機能が存在する。このようなサービスの例として、ファクシミリ装置のＲＯＭに全国のサービスセンターの電話番号を市外局番等の地域情報と対応して登録しておき、装置に異常が発生した場合等に自動的にその地域のサービス拠点に連絡するようにした技術が提案されている（例えば、特許文献１参照）。また、画像形成装置のプロセスカートリッジに搭載されたメモリに、プロセスカートリッジの交換に必要な発注情報を販売店において書き込むようにした技術が提案されている（例えば、特許文献２参照）。
【特許文献１】特開２００１−３３１０６９号公報
【特許文献２】特開２００１−５７６１６号公報
【発明の開示】
【発明が解決しようとする課題】
【０００３】
画像形成装置が前記特許文献１，２等に示される前記サービスを受けるには、サービス拠点の連絡先を装置が認識している必要があり、このためにサービスマンが装置の設置場所に来て連絡先を装置に登録する作業を必要としていた。
従って、本発明は、サービスマンが連絡先を登録する必要のない画像形成装置、そのサービス拠点連絡方法、プログラム及び記録媒体を提案することを課題とする。
【課題を解決するための手段】
【０００４】
請求項１の発明による画像形成装置は、不揮発性メモリを有するプロセスカートリッジを備えた画像形成装置において、地域毎のサービス拠点の連絡先情報を前記不揮発性メモリに記憶させた画像形成装置の設置時に設置場所の地域情報を入力する入力手段と、前記不揮発メモリを検索し前記入力された地域情報と対応するサービス拠点の連絡先を抽出して登録する登録制御手段とを設けたことを特徴とするものである。
【０００５】
請求項２の発明による画像形成装置は、請求項１において、前記登録されたサービス拠点の連絡先に自動的に通知する自動通知手段を設けたことを特徴とする。
請求項３の発明による画像形成装置は、請求項２において、前記自動通知手段による通知を行うか否かを選択する選択手段を設けたことを特徴とするものである。
請求項４の発明による画像形成装置は、請求項１から３のいずれかにおいて、前記不揮発メモリ内の前記登録されたサービス拠点の連絡先以外のサービス拠点の連絡先情報を消去してその消去されたエリアを他の情報の記憶エリアに使用可能とするデータ消去手段を設けたことを特徴とするものである。
【０００６】
請求項５の発明による画像形成装置のサービス拠点連絡方法は、不揮発性メモリを有するプロセスカートリッジの前記不揮発メモリに地域毎のサービス拠点の連絡先情報を記憶させ、画像形成装置の設置時に設置場所の地域情報を入力し、前記不揮発メモリを検索し前記入力された地域情報と対応するサービス拠点の連絡先を抽出し、前記抽出されたサービス拠点の連絡先を登録することを特徴とするものである。
【０００７】
請求項６の発明による画像形成装置のサービス拠点連絡方法は、請求項５において、前記登録されたサービス拠点の連絡先に自動的に通知することを特徴とするものである。
請求項７の発明による画像形成装置のサービス拠点連絡方法は、請求項６において、前記自動通知を行うか否かを選択可能にしたことを特徴とするものである。
【０００８】
請求項８の発明による画像形成装置のサービス拠点連絡方法は、請求項５から７のいずれかにおいて、前記不揮発メモリ内の前記登録されたサービス拠点の連絡先以外のサービス拠点の連絡先情報を消去し、消去されたエリアを他の情報の記憶エリアに使用可能とすることを特徴とするものである。
【０００９】
請求項９の発明によるプログラムは、請求項５から８のいずれかの方法をコンピュータが実行するためのものである。
請求項１０の発明によるコンピュータ読み取り可能な記録媒体は、請求項９記載のプログラムを記録したものである。
【発明の効果】
【００１０】
請求項１，５記載の発明によれば、画像形成装置本体側のメモリ容量を増やすことなく、サービス拠点の自動設定機能を達成することができ、サービスマンの登録作業を省くことができる。また、参照する情報がプロセスカートリッジが有する不揮発メモリ内にあるので、海賊版のプロセスカートリッジでは設定を行ことは不可能となる。
【００１１】
請求項２，６記載の発明によれば、ユーザがマニュアル等から連絡先を探して連絡することなく、自動的にサービス拠点に連絡が行き、サービスが受けられるようになる。
請求項３，７記載の発明によれば、ユーザが自動的にサービス拠点に連絡するどうかを選択することができる。
請求項４，８記載の発明によれば、メモリ容量の増加が少ないもしくは無い状態でも本発明上記サービス拠点の自動設定機能を達成することができる。
【発明を実施するための最良の形態】
【００１２】
以下、本発明の実施形態を図面と共に説明する。
図１は本発明の実施形態による複写機のシステム構成を示すブロック図である。
図１において、本システムは、全体的な制御を行う中央制御部（ＣＰＵ）１、スキャナ２が読み取った画像信号の読み込み及び処理を行う画像処理制御部３、センサ・ドライバ４等を制御するＩ／Ｏ制御部５、回線との接続を行うＰＳＴＮＩ／Ｆ６を介して通信を司る通信制御部７、ＬＡＮとの接続を行うＬＡＮＩ／Ｆ８、プロッタ９やプロセスカートリッジ１０の制御を行う書き込み制御部１１、プロセスカートリッジ１０内の不揮発メモリ１２との接続を行うメモリＩ／Ｆ１３、キー入力及び表示を行う操作表示部１４、プログラム等を格納するＲＯＭ１５、作業用ＲＡＭ１６、回線等から受信した画像データを記憶する画像データ記憶部１７及び後述するサービス拠点情報等を記憶する参照情報記憶部１８で構成される。
【００１３】
プロセスカートリッジ１０は、トナーや現像装置、感光体等が一体となったプロッタ９と、このプロセスカートリッジ１０の各種情報を記憶しているＥＥＰＲＯＭ等の不揮発性メモリ１２を一体的に収納したものである。このプロセスカートリッジ１０は複写機本体に着脱可能に装着される。参照情報記憶部１８は、メモリＩ／Ｆ１３を介して不揮発メモリ１２の参照したい情報を記憶する。
【００１４】
次に、第１の実施形態について説明する。
プロセスカートリッジ１０においては、このカートリッジ及び印字に関する各種情報（作像条件等の情報）を記憶する不揮発メモリ１２が実装されている。本実施形態は、この不揮発メモリ１２を有効活用してサービス拠点を自動設定するようにしたものである。
前述したように、サービス拠点との定期連絡によるサービスを受けるために、従来はサービス拠点の連絡先をサービスマンが登録する作業が必要となるが、本実施形態においては、プロセスカートリッジ１０が備える不揮発メモリ１２に、サービス拠点情報（サービス拠点がある国、市等の地域情報毎の連絡先)を予め記憶してプロセスカートリッジ１０あるいはプロセスカートリッジ１０が装着された複写機を出荷する。
【００１５】
一方、複写機の設置時に操作表示部１４より設置場所に応じた電話番号や地域情報（国や市の情報）を含むユーザ情報の入力操作をユーザに依頼し、入力されたユーザ情報を参照情報記憶部１８に記憶しておく。中央制御部１は、入力されたユーザ情報に基づいてプロセスカートリッジ１０内の不揮発性メモリ１２を検索してユーザ情報と対応するサービス拠点の連絡先（通知先）を取得し、これを参照情報記憶部１８に登録する。この動作を行うことにより、サービス拠点の連絡先を自動的に設定することができる。
【００１６】
本実施形態によれば、プロセスカートリッジ１０内の不揮発メモリ１２を有効に利用することにより、サービスマンが作業することなく、複写機の設置場所に応じたサービス拠点を自動的に設定することができる。また、この自動的設定機能を実現するために特に画像形成装置本体側のメモリ容量を増やすことなく実現することができる。また、海賊版のプロセスカートリッジ１０の場合には、前記出荷時における不揮発メモリ１２へのサービス拠点情報を記憶することができないので、自動設定機能は実現不可能となる。
【００１７】
次に、第２の実施形態について説明する。
上記第１の実施形態では、サービス拠点の連絡先の自動設定のみを行っているので、このままでは自動的にサービス拠点との連絡を取ることはできない。そこで、本実施形態は、前記自動設定されたサービス拠点情報を中央制御部１が読み出し、読み出したサービス拠点の連絡先に自動的に通知するようにしたものである。連絡先への通知方法としては、通信制御部７によりＰＳＴＮＩ／Ｆ６を介して、あるいはＬＡＭＩ／Ｆ８を介して通知することができる。
本実施形態によれば、自動的にサービス拠点との連絡が取れるようになり、トナーの自動発注や不具合時の早期対応等のサービスを受けることができるようになる。
【００１８】
次に、第３の実施形態について説明する。
前記第２の実施形態では、自動的にサービス拠点に通知してしまうが、ユーザ環境によっては不要の場合もある。そこで、本実施形態は、前記ユーザ情報の入力操作によりサービス拠点を自動設定した際に、操作表示部１４により自動通知するか否かをユーザに問い合わせ、ユーザの選択に応じて自動通知機能を有効にするか否かを決定するようにしている。
【００１９】
図２に前記第１、第２、第３の実施形態による処理のフローチャートを示す。
電源がＯＮすると（Ｓ１０１）、プロセスカートリッジ１０の不揮発メモリ１２のデータを確認し（Ｓ１０２）、不揮発メモリ１２にサービス拠点情報があるか否かを調べ（Ｓ１０３）、ある場合は、操作表示部１４によりユーザ情報の入力を促し（Ｓ１０４）、入力を確認したら（Ｓ１０５）、不揮発メモリ１２に記憶されたサービス拠点情報からユーザ情報に応じたサービス拠点連絡先を確定し（Ｓ１０６）、これを参照情報記憶部１７に記憶する（Ｓ１０７）。次に、操作表示部１４により前記自動通知をするか否かをユーザに問い合わせ（Ｓ１０８）、自動通知をする場合は（Ｓ１０９、ＹＥＳ）、サービス拠点に通知してサービスが開始される（Ｓ１１０）。尚、不揮発メモリ１２にサービス拠点情報が無い場合及び自動通知をしない場合はそのまま終了する（Ｓ１１１）。
【００２０】
次に、第４の実施形態について説明する。
第１の実施形態においては、サービス拠点情報をプロセスカートリッジ１０内の不揮発性メモリ１２に記憶しているが、自動設定が終わってしまえば、必要な連絡先情報のみがあればいい。即ち、ユーザの地域に対応するサービス拠点の連絡先のみが必要であり、他のサービス拠点の連絡先は不要である。また、サービス拠点情報を複写機本体側の参照情報記憶部１７に記憶しているが、電源ＯＦＦでもデータ保持が可能でないと、毎回設定動作が必要となってしまう。
【００２１】
そこで、本実施形態は、不揮発性メモリ１２がＥＥＰＲＯＭ等の読み書き可能なメモリである場合、不要なサービス拠点情報を消去し、消去したエリアを複写機の設置後に得る情報（トナー残量や設置日時、周辺環境等を含む情報）を記憶するエリアに割り当てる。
本実施形態によれば、不揮発メモリ１２の増加が少ないか、又はメモリ容量が無い状態でも、本発明の目的を達成することができる。
【００２２】
図３に上記第４の実施形態による処理のフローチャートを示すもので、電源ＯＮからサービス拠点の連絡先の確定（Ｓ１０６）までは図２と同様の処理が行われる。サービス拠点の連絡先が確定したら（Ｓ１０６）、これをプロセスカートリッジ１０の不揮発メモリ１２に記憶すると共に（Ｓ１１２）、不要なサービス拠点情報を消去して、そのエリアを他のデータに使用する（Ｓ１１３）。そして、操作表示部１４により前記自動通知をするか否かを問い合わせ（Ｓ１０８）、その後は図２と同様の処理が行われる。
【００２３】
尚、図２、図３のフローチャートに示す処理を、中央制御部１が実行するためのプログラムは本発明によるプログラムを構成する。また、このプログラムを記録する記録媒体は、本発明によるコンピュータ読み取り可能な記録媒体を構成する。この記録媒体としては、半導体記憶装置や光学的な記憶装置、磁気的な記憶装置等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【図面の簡単な説明】
【００２４】
【図１】本発明の実施形態による画像形成装置としての複写機の構成を示すブロック図である。
【図２】本発明の第１、第２、第３の実施形態による処理を示すフローチャートである。
【図３】本発明の第４の実施形態による処理を示すフローチャートである。
【符号の説明】
【００２５】
１    中央制御部
６    ＰＳＴＮＩ／Ｆ
７    通信制御部
８    ＬＡＮＩ／Ｆ部
１０    プロセスカートリッジ
１１    書き込み制御部
１２    不揮発メモリ
１３    メモリＩ／Ｆ
１４    操作表示部
１５    ＲＯＭ
１８    参照情報記憶部
【図１】
2006208725.tif 000003
【図２】
2006208725.tif 000004
【図３】
2006208725.tif 000005